(57)【要約】【課題】生体情報検出機能を実現するために必要な複数の構成部品を、アイウェアに容易に設けることができるようにすること。【解決手段】生体情報検出装置は、眼電位を検出する眼電位センサと、加速度を検出する加速度センサと、角速度を検出するジャイロセンサと、前記眼電位、前記加速度、および前記角速度を用いた処理を行う処理手段と、外部との通信を行う通信手段と、電力を供給するバッテリと、前記眼電位センサ、前記加速度センサ、前記ジャイロセンサ、前記処理手段、前記通信手段、および前記バッテリが一体的に設けられ、アイウェアが備えるフレームのブリッジに取り付け可能な筐体とを備える。【選択図】図１
2019195591.tif 000002
【特許請求の範囲】
【請求項１】
眼電位を検出する眼電位センサと、
加速度を検出する加速度センサと、
角速度を検出するジャイロセンサと、
前記眼電位、前記加速度、および前記角速度を用いた処理を行う処理手段と、
外部との通信を行う通信手段と、
電力を供給するバッテリと、
前記眼電位センサ、前記加速度センサ、前記ジャイロセンサ、前記処理手段、前記通信手段、および前記バッテリが一体的に設けられ、アイウェアが備えるフレームのブリッジに取り付け可能な筐体と
を備えることを特徴とする生体情報検出装置。
【請求項２】
前記筐体に一体的に設けられたノーズパッドをさらに備え、
前記眼電位センサは、
前記ノーズパッドに設けられた電極と、前記筐体における前記アイウェアの装着者の眉間との接触面に設けられた電極とを有する
ことを特徴とする請求項１に記載の生体情報検出装置。
【請求項３】
前記処理手段は、前記眼電位センサによって検出された前記眼電位に基づいて、前記アイウェアの装着者の眼の動きを判定する動き判定部を有する
ことを特徴とする請求項１または２に記載の生体情報検出装置。
【請求項４】
前記動き判定部は、前記装着者のまばたきを判定する
ことを特徴とする請求項３に記載の生体情報検出装置。
【請求項５】
前記動き判定部は、前記装着者の視線方向を判定する
ことを特徴とする請求項３または４に記載の生体情報検出装置。
【請求項６】
請求項１から５のいずれか一項に記載の生体情報検出装置
を備えることを特徴とするアイウェア。
【請求項７】
請求項１から５のいずれか一項に記載の生体情報検出装置と、
前記生体情報検出装置に着脱自在であり、且つ、前記生体情報検出装置に装着されることにより、前記バッテリを充電するクレードルと
を備えることを特徴とするアイウェアシステム。
【請求項８】
前記クレードルは、
前記生体情報検出装置が前記ブリッジに装着された状態において、前記生体情報検出装置に着脱自在である
ことを特徴とする請求項７に記載のアイウェアシステム。
【請求項９】
前記クレードルは、
リセットスイッチと、
前記リセットスイッチが押下された場合、前記生体情報検出装置へリセット信号を出力するリセット信号出力手段と
を有する
ことを特徴とする請求項７または８に記載のアイウェアシステム。
【発明の詳細な説明】
【技術分野】
【０００１】
本発明は、生体情報検出装置、アイウェア、およびアイウェアシステムに関する。
【背景技術】
【０００２】
従来、眼鏡、サングラス等のアイウェアに対し、生体情報検出機能を設けることにより、アイウェアの装着者の生体情報（例えば、加速度、角速度、眼電位等）を検出できるようにした技術が知られている。
【０００３】
例えば、下記特許文献１には、アイウェアのフレームにおけるノーズパッドおよび眉間と接触する位置に対し、眼電位電極を設けたことにより、アイウェアの装着者の眼電位を検出することができるようにした技術が開示されている。
【先行技術文献】
【特許文献】
【０００４】
【特許文献１】特開２０１５−２０２１９８号公報
【発明の概要】
【発明が解決しようとする課題】
【０００５】
しかしながら、上記特許文献１の技術では、フレームにおける一方のテンプル内にバッテリを設け、他方のテンプル内に回路基板を設ける構成を採用している。すなわち、上記特許文献１の技術では、眼電位を検出するための複数の構成部品が、フレームの全体に亘って分散して設けられている。このため、上記特許文献１の技術では、生体情報検出機能を実現するために必要な複数の構成部品を、アイウェアに容易に設けることができなかった。
【課題を解決するための手段】
【０００６】
一実施形態の生体情報検出装置は、眼電位を検出する眼電位センサと、加速度を検出する加速度センサと、角速度を検出するジャイロセンサと、前記眼電位、前記加速度、および前記角速度を用いた処理を行う処理手段と、外部との通信を行う通信手段と、電力を供給するバッテリと、前記眼電位センサ、前記加速度センサ、前記ジャイロセンサ、前記処理手段、前記通信手段、および前記バッテリが一体的に設けられ、アイウェアが備えるフレームのブリッジに取り付け可能な筐体とを備える。
【発明の効果】
【０００７】
一実施形態によれば、生体情報検出機能を実現するために必要な複数の構成部品を、アイウェアに容易に設けることができる。
【図面の簡単な説明】
【０００８】
【図１】一実施形態に係るアイウェアシステムの構成を示す図である。
【図２】一実施形態に係る生体情報検出装置の装着状態を示す図である。
【図３】一実施形態に係るクレードルの装着状態を示す図である。
【図４】一実施形態に係るアイウェアおよび生体情報検出装置の拡大図である。
【図５】一実施形態に係る生体情報検出装置のハードウェア構成を示す図である。
【図６】一実施形態に係るクレードルのハードウェア構成を示す図である。
【図７】一実施形態に係る生体情報検出装置およびクレードルの底面側からの外観斜視図である。
【図８】一実施形態に係る生体情報検出装置およびクレードルの上面側からの外観斜視図である。
【図９】一実施形態に係る処理回路の機能構成を示す図である。
【発明を実施するための形態】
【０００９】
〔実施形態〕
以下、図面を参照して、一実施形態について説明する。
【００１０】
（アイウェアシステム１０の構成）
図１は、一実施形態に係るアイウェアシステム１０の構成を示す図である。図２は、一実施形態に係る生体情報検出装置１００の装着状態を示す図である。図３は、一実施形態に係るクレードル３００の装着状態を示す図である。図４は、一実施形態に係るアイウェア２００および生体情報検出装置１００の拡大図である。
【００１１】
図１に示すように、アイウェアシステム１０は、アイウェア２００、生体情報検出装置１００、およびクレードル３００を備える。
【００１２】
アイウェア２００は、装着者の顔面に装着される眼鏡、サングラス等である。アイウェア２００は、フレーム２０１、左レンズ２０２、および右レンズ２０３を備えている。フレーム２０１は、左リム２０１Ａ、右リム２０２Ｂ、ブリッジ２０１Ｃを有している。左リム２０１Ａは、左レンズ２０２の外周縁部を支持する。右リム２０２Ｂは、右レンズ２０３の外周縁部を支持する。
【００１３】
ブリッジ２０１Ｃは、左リム２０１Ａと右リム２０２Ｂとの間において、左リム２０１Ａと右リム２０２Ｂとを連結する。ブリッジ２０１Ｃにおける装着者の顔面側には、切欠き部２０１Ｄが形成されている。切欠き部２０１Ｄは、生体情報検出装置１００が備える筐体１０１の外形状と略同形状に切り欠かれた部分である。切欠き部２０１Ｄは、筐体１０１を嵌め込むことができるようになっている。なお、実際には、フレーム２０１は、左右各々のテンプルを備えているが、本実施形態では図示を省略している。
【００１４】
生体情報検出装置１００は、アイウェア２００に対して取り付け可能な装置である。図２に示すように、生体情報検出装置１００は、筐体１０１がアイウェア２００の切欠き部２０１Ｄに嵌め込まれることにより、アイウェア２００のブリッジ２０１Ｃに装着される。筐体１０１は、比較的硬質な素材（例えば、硬質樹脂等）を用いて形成される。筐体１０１は、概ね直方体形状をなしている。
【００１５】
図４に示すように、筐体１０１の左右両側面には、外側に突出したリブ１０１Ａ，１０１Ｂが設けられている。一方、アイウェア２００の切欠き部２０１Ｄにおける左右両方の内壁面には、前後方向に延在する係合溝２０１Ｅ，２０１Ｆが形成されている。筐体１０１が切欠き部２０１Ｄに嵌め込まれる際、リブ１０１Ａ，１０１Ｂは、係合溝２０１Ｅ，２０１Ｆ内に挿入されて、係合溝２０１Ｅ，２０１Ｆと係合する。これにより、筐体１０１は、切欠き部２０１Ｄ内において、高精度に位置決めされるとともに、安定的に保持されるようになっている。
【００１６】
筐体１０１の内部には、加速度センサ１１１およびジャイロセンサ１１２が設けられている。これにより、生体情報検出装置１００は、装着者の頭部における加速度および角速度を検出することができる。また、筐体１０１の下側には、左ノーズパッド１０２および右ノーズパッド１０３が取り付けられている。左ノーズパッド１０２および右ノーズパッド１０３は、装着者の鼻の表面に当接することにより、アイウェア２００を支持する。左ノーズパッド１０２および右ノーズパッド１０３の各々の表面（装着者の鼻との接触面）には、電極１０４および電極１０５が設けられている。また、筐体１０１における装着者の眉間との接触面には、電極１０６が設けられている。電極１０４，１０５，１０６は、眼電位センサ１１３として機能し、装着者の眼電位を検出することができる。
【００１７】
クレードル３００は、生体情報検出装置１００に着脱自在な装置である。クレードル３００は、図３に示すように、生体情報検出装置１００の筐体１０１に装着されることにより、生体情報検出装置１００と電気的に接続されて、生体情報検出装置１００を充電およびリセットすることができる。特に、クレードル３００は、生体情報検出装置１００がアイウェア２００のブリッジ２０１Ｃに装着された状態のまま、生体情報検出装置１００に装着できるように、筐体１０１の後部に取り付け可能となっている。
【００１８】
（生体情報検出装置１００のハードウェア構成）
図５は、一実施形態に係る生体情報検出装置１００のハードウェア構成を示す図である。図５に示すように、生体情報検出装置１００は、加速度センサ１１１、ジャイロセンサ１１２、眼電位センサ１１３、処理回路１１４、メモリ１１５、通信モジュール１１６、バッテリ１１７、および接続端子１１８を備える。
【００１９】
これらの各ハードウェアは、筐体１０１に一体的に設けられてモジュール化されている。例えば、加速度センサ１１１、ジャイロセンサ１１２、処理回路１１４、メモリ１１５、通信モジュール１１６、およびバッテリ１１７は、筐体１０１の内部に設けられた基板上に設けられる。また、眼電位センサ１１３（電極１０４，１０５，１０６）は、図３に示すように、筐体１０１の表面、および、筐体１０１に取り付けられたノーズパッドの表面に設けられる。また、接続端子１１８は、筐体１０１の内部に設けられた基板上に設けられ、且つ、その一部（接続部分）が筐体１０１の底面から露出する。
【００２０】
加速度センサ１１１は、予め定義された３軸（Ｘ軸，Ｙ軸，Ｚ軸）の各々について、生体情報検出装置１００（すなわち、アイウェア２００の装着者の頭部）に生じる加速度を検知して、当該加速度を示す加速度データを出力する。加速度センサ１１１から出力された加速度データは、処理回路１１４へ供給される。加速度センサ１１１としては、例えば、ひずみゲージ型加速度センサ、ピエゾ抵抗型加速度センサ、圧電型加速度センサ等を用いることができる。
【００２１】
ジャイロセンサ１１２は、予め定義された３軸（Ｘ軸，Ｙ軸，Ｚ軸）の各々について、生体情報検出装置１００（すなわち、アイウェア２００の装着者の頭部）に生じる角速度を検知して、当該角速度を示す角速度データを出力する。ジャイロセンサ１１２から出力された角速度データは、処理回路１１４へ供給される。ジャイロセンサ１１２としては、例えば、振動式ジャイロセンサ、静電容量式ジャイロセンサ等を用いることができる。
【００２２】
眼電位センサ１１３は、筐体１０１に取り付けられた３つの電極１０４，１０５，１０６により、装着者の眼球における角膜側の電位と網膜側の電位との電位差による電圧値を「眼電位」として検知して、当該眼電位を示す眼電位データを出力する。眼電位センサ１１３から出力された眼電位データは、処理回路１１４へ供給される。
【００２３】
処理回路１１４は、「処理手段」の一例である。処理回路１１４は、生体情報検出装置１００の各種機能を実現するための処理を行う。例えば、処理回路１１４は、各センサ（加速度センサ１１１、ジャイロセンサ１１２、および眼電位センサ１１３）から取得した各計測データ（加速度データ、角速度データ、および眼電位データ）を、メモリ１１５に蓄積したり、通信モジュール１１６を介して外部の情報処理装置（例えば、スマートフォン、パーソナルコンピュータ、サーバ等）へ出力したりする。また、例えば、処理回路１１４は、各センサから取得した各計測データに基づいて、アイウェア２００の装着者の眼の動きを判定する。処理回路１１４としては、例えば、ＩＣ（Integrated Circuit）等を用いることができる。
【００２４】
メモリ１１５は、処理回路１１４の処理に用いられる各種データを記憶する。例えば、メモリ１１５は、処理回路１１４が各センサから取得した各計測データ（加速度データ、角速度データ、および眼電位データ）を記憶する。メモリ１１５としては、例えば、ＲＡＭ（Random Access Memory）等を用いることができる。
【００２５】
通信モジュール１１６は、外部の情報処理装置との無線通信を行う。例えば、通信モジュール１１６は、外部の情報処理装置との通信接続、外部の情報処理装置に対するデータ送信等を制御する。本実施形態では、通信モジュール１１６による無線通信方式として、Ｂｌｕｅｔｏｏｔｈ（登録商標）を用いている。但し、これに限らず、通信モジュール１１６による通信方式として、その他の無線通信方式（例えば、Ｗｉ−Ｆｉ（登録商標）、ＮＦＣ（Near Field Communication）等）を用いるようにしてもよい。
【００２６】
バッテリ１１７は、クレードル３００から供給された電力によって充電されることにより電力を蓄える。そして、バッテリ１１７は、生体情報検出装置１００の各部へ電力を供給する。本実施形態では、バッテリ１１７として、充電可能な二次電池（例えば、リチウムイオン二次電池、リチウムイオンポリマー二次電池、ニッケル水素二次電池等）を用いている。
【００２７】
接続端子１１８は、クレードル３００が生体情報検出装置１００に装着されたとき、クレードル３００の接続端子３０５と電気的に接続される。これにより、接続端子１１８は、クレードル３００から供給された電力を受け取ることが可能となる。
【００２８】
このように構成された生体情報検出装置１００は、アイウェア２００のブリッジ２０１Ｃに取り付けられることにより、アイウェア２００の装着者の頭部における加速度、角速度、および眼電位を、継続的に計測することができる。そして、生体情報検出装置１００は、各計測データ（加速度データ、角速度データ、および眼電位データ）を、メモリ１１５に蓄積したり、外部の情報処理装置との無線通信により、外部の情報処理装置へ出力したりすることができる。また、生体情報検出装置１００は、各計測データに基づいて、アイウェア２００の装着者の眼の動きを判定し、当該判定結果を外部の情報処理装置へ出力することもできる。
【００２９】
なお、出力部１２６は、各計測データ（加速度データ、角速度データ、および眼電位データ）、および、アイウェア２００の装着者の眼の動きの判定結果を、リアルタイムで外部の情報処理装置へ出力してもよく、メモリ１１５に蓄積された各計測データおよび判定結果を、所定のタイミング（例えば、外部の情報処理装置と接続されたタイミング）でまとめて外部の情報処理装置へ出力するようにしてもよい。
【００３０】
（クレードル３００のハードウェア構成）
図６は、一実施形態に係るクレードル３００のハードウェア構成を示す図である。図６に示すように、クレードル３００は、ＵＳＢコネクタ３０１、充電回路３０２、バッテリ３０３、給電回路３０４、接続端子３０５、リセットスイッチ３０６、およびリセット信号出力回路３０７を備える。
【００３１】
ＵＳＢコネクタ３０１は、ＵＳＢケーブルが接続されることにより、当該ＵＳＢケーブルを介して、外部の給電装置と電気的に接続される。これにより、ＵＳＢコネクタ３０１は、外部の給電装置から供給された電力を受け取ることが可能となる。
【００３２】
充電回路３０２は、外部の給電装置からＵＳＢコネクタ３０１を介して供給された電力を用いて、バッテリ３０３を充電する。
【００３３】
バッテリ３０３は、充電回路３０２によって充電されることにより電力を蓄える。そして、バッテリ３０３は、給電回路３０４へ電力を供給する。本実施形態では、バッテリ３０３として、充電可能な二次電池（例えば、リチウムイオン二次電池、リチウムイオンポリマー二次電池、ニッケル水素二次電池等）を用いている。
【００３４】
給電回路３０４は、バッテリ３０３から供給された電力を、接続端子３０５を介して、生体情報検出装置１００へ給電することにより、生体情報検出装置１００が備えるバッテリ１１７を充電する。
【００３５】
接続端子３０５は、クレードル３００が生体情報検出装置１００に装着されたとき、生体情報検出装置１００の接続端子１１８と電気的に接続される。これにより、接続端子３０５は、給電回路３０４からの電力を、生体情報検出装置１００へ送出することが可能となる。
【００３６】
リセットスイッチ３０６は、その一部がクレードル３００の筐体３１０から露出して設けられており、ユーザによる押下操作可能なスイッチである。リセット信号出力回路３０７は、リセットスイッチ３０６が押下されると、接続端子３０５を介して、生体情報検出装置１００をリセットするためのリセット信号を、生体情報検出装置１００へ送信する。
【００３７】
（生体情報検出装置１００およびクレードル３００の電気的接続構成）
図７は、一実施形態に係る生体情報検出装置１００およびクレードル３００の底面側からの外観斜視図である。図８は、一実施形態に係る生体情報検出装置１００およびクレードル３００の上面側からの外観斜視図である。
【００３８】
図７に示すように、生体情報検出装置１００の筐体１０１の底面には、２つの接続端子１１８が露出して設けられている。
【００３９】
一方、図７および図８に示すように、クレードル３００の筐体３１０は、下側で前方に突出した先端部３１０Ａと、上側で前方に突出したクリップ３１１とを有しており、先端部３１０Ａとクリップ３１１とにより、生体情報検出装置１００が備える筐体１０１の後部を上下から挟持できるようになっている。
【００４０】
図８に示すように、先端部３１０Ａの上面には、２つの接続端子３０５が上方に突出して設けられている。図３に示すように、生体情報検出装置１００にクレードル３００が装着されたとき、生体情報検出装置１００に設けられた２つの接続端子１１８の各々が、クレードル３００に設けられた２つの接続端子３０５の各々と接触して、電気的に接続される。これにより、クレードル３００から生体情報検出装置１００へ電力が供給されて、生体情報検出装置１００のバッテリ１１７が充電されることとなる。また、クレードル３００から生体情報検出装置１００へリセット信号の送信が可能となり、クレードル３００のリセットスイッチ３０６を押下することにより、生体情報検出装置１００をリセットすることが可能となる。
【００４１】
なお、生体情報検出装置１００の筐体１０１は、防水構造を有している。特に、筐体１０１は、接続端子１１８のみが露出しており、スイッチ、コネクタ等のその他の部品が露出していないため、比較的高い防水性能を有するものとなっている。
【００４２】
（処理回路１１４の機能構成）
図９は、一実施形態に係る処理回路１１４の機能構成を示す図である。図９に示すように、処理回路１１４は、加速度取得部１２１、角速度取得部１２２、眼電位取得部１２３、蓄積部１２４、動き判定部１２５、出力部１２６、リセット信号受信部１２７、およびリセット部１２８を備える。
【００４３】
加速度取得部１２１は、加速度センサ１１１から出力された加速度データを取得する。具体的には、加速度取得部１２１は、加速度センサ１１１から出力された、３軸（Ｘ軸，Ｙ軸，Ｚ軸）の各々の加速度データを取得する。
【００４４】
角速度取得部１２２は、ジャイロセンサ１１２から出力された角速度データを取得する。具体的には、角速度取得部１２２は、ジャイロセンサ１１２から出力された、３軸（Ｘ軸，Ｙ軸，Ｚ軸）の各々の角速度データを取得する。
【００４５】
眼電位取得部１２３は、眼電位センサ１１３から出力された眼電位データを取得する。具体的には、眼電位取得部１２３は、眼電位センサ１１３が有する３つの電極１０４，１０５，１０６から出力された、アイウェア２００の装着者の眼電位を示す電圧値を、眼電位データとして取得する。
【００４６】
蓄積部１２４は、加速度取得部１２１によって取得された加速度データ、角速度取得部１２２によって取得された角速度データ、および、眼電位取得部１２３によって取得された眼電位データをメモリ１１５に蓄積する。
【００４７】
動き判定部１２５は、蓄積部１２４に蓄積された各計測データ（加速度データ、角速度データ、および眼電位データ）に基づいて、アイウェア２００の装着者の眼の動きを判定する。例えば、動き判定部１２５は、蓄積部１２４に蓄積された眼電位データに基づいて、公知の技術（例えば、ＥＯＧ（Electro-Oculography）法）を用いて、アイウェア２００の装着者のまばたきおよび視線方向を判定する。眼電位データにおける電圧値は、視線方向によって変化し、且つまばたきによっても変化する。したがって、例えば、電圧値に基づく視線方向毎の判定パターンと、電圧値に基づくまばたきの判定パターンとを、予めメモリ１１５に記憶させておく。これにより、動き判定部１２５は、各判定パターンと、計測された眼電位データが示す電圧値とに基づいて、アイウェア２００の装着者のまばたきおよび視線方向を判定することができる。なお、眼電位データにノイズが重畳することにより、動き判定部１２５による判定結果の精度が低下する虞がある。そこで、動き判定部１２５は、蓄積部１２４に蓄積された加速度データおよび角速度データでの少なくともいずれか一方をさらに用いて、装着者の眼の動きの判定を行うことにより、判定結果の精度をより高めるようにしてもよい。
【００４８】
出力部１２６は、メモリ１１５に蓄積された各計測データ（加速度データ、角速度データ、および眼電位データ）を、通信モジュール１１６を介して外部の情報処理装置へ出力する。また、出力部１２６は、動き判定部１２５によるアイウェア２００の装着者の眼の動きの判定結果を、通信モジュール１１６を介して外部の情報処理装置へ出力する。
【００４９】
リセット信号受信部１２７は、クレードル３００から送信されたリセット信号を受信する。リセット部１２８は、リセット信号受信部１２７がリセット信号を受信すると、生体情報検出装置１００をリセット（再起動）する。
【００５０】
なお、上記した処理回路１１４の各機能は、例えば、処理回路１１４において、メモリに記憶されたプログラムをプロセッサが実行することにより実現される。このプログラムは、予め生体情報検出装置１００に導入された状態で生体情報検出装置１００とともに提供されてもよく、外部から提供されて生体情報検出装置１００に導入されるようにしてもよい。後者の場合、このプログラムは、外部記憶媒体（例えば、ＵＳＢメモリ、メモリカード、ＣＤ−ＲＯＭ等）によって提供されてもよく、ネットワーク（例えば、インターネット等）上のサーバからダウンロードすることによって提供されるようにしてもよい。
【００５１】
以上説明したように、本実施形態の生体情報検出装置１００は、複数の構成部品（各センサ、処理回路１１４、メモリ１１５、通信モジュール１１６、バッテリ１１７等）が筐体１０１に一体的に設けられてモジュール化されており、且つ、筐体１０１をアイウェア２００のブリッジ２０１Ｃに取り付け可能である。これにより、本実施形態の生体情報検出装置１００は、筐体１０１をアイウェア２００のブリッジ２０１Ｃに取り付けるだけで、複数の構成部品を一括してアイウェア２００に設けることができる。したがって、本実施形態の生体情報検出装置１００によれば、生体情報検出機能を実現するために必要な複数の構成部品を、アイウェア２００に容易に設けることができる。
【００５２】
また、本実施形態の生体情報検出装置１００は、アイウェア２００のブリッジ２０１Ｃに形成された切欠き部２０１Ｄに対し、筐体１０１を嵌め込むだけで、アイウェア２００に容易に取り付けることができる。このため、本実施形態の生体情報検出装置１００によれば、同様の切欠き部を有する、複数のアイウェアの各々に対して、容易に取り付けることができる。また、アイウェアを交換する際も、新たなアイウェアに容易に取り付けることができる。
【００５３】
また、本実施形態の生体情報検出装置１００は、複数のセンサ（眼電位センサ、加速度センサ、およびジャイロセンサ）を、筐体１０１に一体的に設けたため、各計測データ（眼電位、加速度、角速度）を同じ位置（装着者の頭部の眉間近傍）で計測することができる。これにより、本実施形態の生体情報検出装置１００は、各計測データ間において、測定位置に起因する計測精度のばらつきを抑制することができる。したがって、本実施形態の生体情報検出装置１００によれば、装着者の眼、頭部等の動きを高精度に判定することが可能な、各計測データを得ることができる。
【００５４】
また、本実施形態の生体情報検出装置１００は、複数の構成部品を筐体１０１に一体的に設けたため、筐体１０１からＦＰＣ（Flexible Printed Circuits）等の配線部材を引き出す必要が無く、よって、筐体１０１の防水性を高めることができる。また、本実施形態の生体情報検出装置１００は、アイウェア２００のフレーム２０１内にＦＰＣ等の配線部材を別途設ける必要が無いため、アイウェア２００および生体情報検出装置１００の各々の製造コストを抑制することができるうえ、配線部材がフレーム２０１内で断線する等の不具合が生じる虞がなく、よって、アイウェア２００および生体情報検出装置１００の各々の製品の信頼性を高めることができる。
【００５５】
以上、本発明の一実施形態について詳述したが、本発明はこれらの実施形態に限定されるものではなく、特許請求の範囲に記載された本発明の要旨の範囲内において、種々の変形又は変更が可能である。
【００５６】
例えば、上記実施形態では、生体情報検出装置１００の動き判定部１２５によって、アイウェア２００の装着者の眼の動きを判定するようにしているが、これに限らず、動き判定部１２５によって、その他の動き（例えば、頭部の動き等）を判定するようにしてもよい。また、動き判定部１２５の代わりに、外部の情報処理装置によって、アイウェア２００の装着者の眼の動きを判定するようにしてもよい。
【００５７】
また、上記実施形態では、生体情報を検出する検出手段の一例として、加速度センサ１１１、ジャイロセンサ１１２、および眼電位センサ１１３を筐体１０１に一体的に設けるようにしているが、これに限らない。例えば、加速度センサ１１１またはジャイロセンサ１１２を設けない構成としてもよい。また、例えば、生体情報を検出可能な他のセンサ（例えば、赤外線センサ等）を筐体１０１に一体的に設ける構成としてもよい。
【００５８】
また、上記実施形態では、生体情報検出装置１００をアイウェア２００のブリッジ２０１Ｃに取り付けるための取り付け構造の一例として、筐体１０１を切欠き部２０１Ｄに嵌め込む構成を用いているが、これに限らない。例えば、ネジ、両面テープ、磁石等の固定手段により、筐体１０１をブリッジ２０１Ｃに取り付ける構成を用いてもよい。
【符号の説明】
【００５９】
１０  アイウェアシステム
１００  生体情報検出装置
１０１  筐体
１１１  加速度センサ
１１２  ジャイロセンサ
１１３  眼電位センサ
１１４  処理回路（処理手段）
１１５  メモリ
１１６  通信モジュール（通信手段）
１１７  バッテリ
１１８  接続端子
１２１  加速度取得部
１２２  角速度取得部
１２３  眼電位取得部
１２４  蓄積部
１２５  動き判定部
１２６  出力部
１２７  リセット信号受信部
１２８  リセット部
２００  アイウェア
２０１  フレーム
２０１Ｃ  ブリッジ
２０１Ｄ  切欠き部
３００  クレードル
３０６  リセットスイッチ
３０７  リセット信号出力回路（リセット信号出力手段）
【図１】
2019195591.tif 000003
【図２】
2019195591.tif 000004
【図３】
2019195591.tif 000005
【図４】
2019195591.tif 000006
【図５】
2019195591.tif 000007
【図６】
2019195591.tif 000008
【図７】
2019195591.tif 000009
【図８】
2019195591.tif 000010
【図９】
2019195591.tif 000011